(57)【要約】【課題】マウス本体、ロールと切り換え装置、ロールの表面から伸びるロールと複数のギアーからなるマウス装置を提供する。【解決手段】切り換え装置は金属板座、第一スプリング、金属板、凹溝、押しバーと固定フックを含む。本発明に係るマウス装置は切り換え装置によりマウス装置に段落感があるかを決める。【選択図】図１
2008171375.tif 000002
【特許請求の範囲】
【請求項１】
マウス本体と、
前記マウス本体に設置され、表面から伸びるローラーを有すると共に、前記ローラーがギアーを複数有するロールと、
前記マウス本体に設置される切り換え装置を含み、
前記切り換え装置はさらに
金属板座と、
前記金属板座の側部に設置される第一スプリングと、
前記金属板座に接続し、一端が前記複数ギアーに近接し、他端は前記第一スプリングと接触する金属板と、
第二スプリングに設置された凹溝と、
押し板を含み、一端は前記マウス本体外部まで伸び、他端がスライド溝を有し、第二スプリングと接触する押しバーと、
一端は前記スライド溝に進入し、他端は前記凹溝に係止する固定フックとを含むことを特徴とするマウス装置。
【請求項２】
さらに前記ロールの一端に設置するエンコーダーを含むことを特徴とする請求項１に記載するマウス装置。
【請求項３】
前記第一スプリングが伸びた場合は、前記金属板は前記複数ギアーと接触し、前記第一スプリングが圧縮状態となる場合は、前記金属板は前記複数ギアーから離れることを特徴とする請求項２に記載するマウス装置。
【請求項４】
、
前記押し板が前記金属板に当接する場合は、前記第一スプリングは圧縮状態になり、前記押し板が前記金属板に当接しない場合は、前記第一スプリングは前記伸ばし状態となることを特徴とする請求項３に記載するマウス装置。
【請求項５】
前記第二スプリングが前記圧縮状態となる場合は、前記押し板は前記金属板に当接し、前記固定フックはスライド溝の前記端部に伸び、前記スライド溝の第二スライド溝箇所に位置し、前記第二スプリングが前記伸ばし状態となる場合は、前記押し板は前記金属板に当接しなく、前記固定フックはスライド溝の前記端部に伸び、前記スライド溝の第一スライド溝箇所に位置することを特徴とする請求項４に記載するマウス装置。
【請求項６】
さらに前記押しバーが前記マウス本体外部の前記端部に伸びる押し蓋を含むことを特徴とする請求項１に記載するマウス装置。
【発明の詳細な説明】
【技術分野】
【０００１】
本発明はマウス装置に関し、特にロールの段落感の有無の切り換え装置のマウス装置に関する。
【背景技術】
【０００２】
コンピューター時代が到来し、接続するコンピューターとユーザーの入力装置の役割は大変重要であり、それはマウス、キーボード、球などを含み、特にマウスは、使用率が最も高く、使用方法も最もスムーズになりやすい。現在のマウスはほぼロールによる制御を有する。たとえばスクリーン画面のスクロールである。一般的なロールマウスは二つに分けられ、一つは段落感のあるロールマウスで、すなわち手の指でロールを動かすとき、ユーザーはロールの動きがいくつかに分けられた同じ長さの段落の感触を得られ、この感触は段落感と呼ばれる。もう一つのロールマウスは段落感がなく、すなわちユーザーはロールを動かすとき、前述の段落の感触を受けない。
【０００３】
スクリーンのスクロールを制御する時、段落感のあるロールマウスのロールは動くたびにスクリーンをスクロールする特定の距離を刻み、たとえば刻む頻度は捲動する一行か複数行か一ページごとで、これはユーザーがロールを動かしているとき、スクリーンがスクロールする情況をはっきり受けることができる。また、段落感のないロールマウスはユーザーがロールを動かしている時、まったく停まった感触を感じない。
【０００４】
言い換えれば、段落感のあるロールマウスと段落感のないロールマウスはそれぞれ特色がある。ある状況下ではユーザーは段落感のあるロールマウスを使うことを好み、またあるときにはユーザーは段落感のないマウスを使うことを好む。だが、マウス産業の発展は、現在に至るまで、ユーザーの好みによって、ロールを動かす時に段落感を産むことのできるロールマウスがなく、ユーザーにとっては、使用上の自由に乏しい。
【発明の開示】
【発明が解決しようとする課題】
【０００５】
本発明の目的はマウス装置を提供することで、特に段落感の有無を選択できるロールマウス装置である。
【課題を解決するための手段】
【０００６】
比較的好ましい実施例において、本発明の提出するマウス装置は、
マウス本体と、前記マウス本体に設置され、表面に伸びるローラーを有すると共に、前記ローラーがギアーを複数有するロールと、前記マウス本体に設置される切り換え装置を含み、前記切り換え装置はさらに
金属板座と、前記金属板座の側部に設置される第一スプリングと、
前記金属板座に接続し、一端が前記複数ギアーに近接し、他端は前記第一スプリングと接触する金属板と、第二スプリングに設置された凹溝と、押し板を含み、一端は前記マウス本体外部まで伸び、他端がスライド溝を有し、第二スプリングと接触する押しバーと、一端は前記スライド溝に進入し、他端は前記凹溝に係止する固定フックを含む。
【０００７】
比較的好ましい実施例において、本発明の提出するマウス装置は、前記ロールの一端に設置するエンコーダーを含む。
【０００８】
比較的好ましい実施例において、本発明の提出するマウス装置は、前記第一スプリングが伸びた場合は、前記金属板は前記複数ギアーと接触し、前記第一スプリングが圧縮状態となる場合は、前記金属板は前記複数ギアーから離れる。
【０００９】
比較的好ましい実施例において、本発明の提出するマウス装置は、前記押し板が前記金属板に当接する場合は、前記第一スプリングは圧縮状態になり、前記押し板が前記金属板に当接しない場合は、前記第一スプリングは前記伸ばし状態となる。
【００１０】
比較的好ましい実施例において、本発明の提出するマウス装置は、前記第二スプリングが前記圧縮状態となる場合は、前記押し板は前記金属板に当接し、前記固定フックはスライド溝の前記端部に伸び、前記スライド溝の第二スライド溝箇所に位置する。また、前記第二スプリングが前記伸ばし状態となる場合は、前記押し板は前記金属板から離れ、前記固定フックはスライド溝の前記端部に伸び、前記スライド溝の第一スライド溝箇所に位置する。
【００１１】
比較的好ましい実施例において、本発明の提出するマウス装置は、さらに前記押しバーが前記マウス本体外部の前記端部に伸びる押し蓋を含む。
【発明の効果】
【００１２】
一般のロールマウスは段落感を有するものではなく、完全に段落感がなく、両者を兼ねることはできず、自由に使用することに制限があるということに鑑み、そこで、本発明は段落感のあるものと段落感のないものを兼ね備えたロールマウスを提供する。
【発明を実施するための最良の形態】
【００１３】
図１(a)が示すのは、本発明のマウス装置の内部構造概略図である。マウス装置100はマウス本体101、ロール102、エンコーダー105、切り換え装置110を含み、その内設置されたローラー103はロール102表面まで伸び、かつローラー103の一端に複数のギアー104を有する。また、切り換え装置110は金属板座111、第一スプリング112、金属板113、凹溝114、第二スプリング115、押しバー116、固定フック119、押し蓋120を含む。図１(a)に並び、図１(b)は本発明のマウス装置の部分構造分解概略図である。切り換え装置110の内、複数ギアー104側邊に金属板座111を有し、かつ第一スプリング112は金属板座111の側邊に位置し、金属板113は金属板座111に接し、その内の金属板113の一端は複数ギアー104に接近し、かつ金属板113のもう一端は第一スプリングと接触する。そのほか、金属板座111もう一側邊に凹溝114を有し、また第二スプリング115は押しバー116と接触し凹溝114中に位置し、その内押しバー116は押し板117とスライド溝118を有し、その内、押し板117は金属板113の近くに位置する。押しバー116を凹溝114の上に固定するため、押しバー116と凹溝114の間には固定フック119が設置され、その内固定フック119の一端は押しバー116上のスライド溝118中まで伸び、もう一端は凹溝114に係止する。また、押しバー116のもう一端は押し蓋120を有し、かつマウス本体101の外に伸び、ユーザーがマウス本体101の外部で切り換え装置を圧縮したり、起動したりできる。本発明のマウス装置100の外觀は図２が示す。図２において、ユーザーは押し蓋120を押すことで、マウスの段落感の有無を選ぶことができる。
【００１４】
押し蓋120が押されていない時、本発明のマウスは段落感のある状態である。図３(a)は、本発明のマウス装置が段落感のある時の内部構造概略図である。マウス装置100において、押し蓋120が押されていないとき、凹溝114中に設置された第二スプリング115(図は省略)は押しバー116に当接しておらず、伸ばし状態のままであり、また固定フック119の一端はスライド溝118の中に伸び、かつ第一スライド位置1181に位置し、これは図３(b)の示すとおりである。図３(a)はさらに、第二スプリング115が伸ばし状態であるとき、押しバー116上に位置する押し板117は金属板座111上の金属板113に当接しておらず、そこで、金属板座111の側邊の第一スプリング112は伸ばし状態で、かつ金属板113が第一スプリング112と接触する一端は上に向かって頂上に接し、金属板113の一端を複数ギアー104と接触させる。ロール102が動かされるとき、金属板113は順にローラー103の各ギアー104と接触し、その内、各ギアー104の形状は完全に同じで、かつ各二つのギアー104の間の間隔も同じで、多くの同じ段落の長さの段落感を作ることができる。
【００１５】
続いて、マウス装置が段落感を有しない状態を説明するが、図４(a)は、その本発明のマウス装置が段落感を有しない時の内部構造概略図である。ユーザーがマウス装置100の段落感をなくしたい時、押し蓋120を押し下げるだけで、即切り換え装置110をオンにし、マウスは段落感を有さなくなる。
【００１６】
図４(a)は、ユーザーが押し蓋120を押す時、押しバー116は第二スプリング115と接触する一端(かつスライド溝118一端を有する)に部分的に凹溝114の中に進入させ、凹溝114の中の第二スプリング115を壓縮状態にし、また固定フック119はスライド溝118の中の第一スライドの位置1181を第二スライド位置1182に変え、それは局部放大図４(b)の示すとおりである。その内固定フック119の両端はそれぞれ凹溝114と押しバー116のスライド溝118の中に固定され、そこで押しバー116を押す時、固定フック119はスライド溝118の中を移動せず、押しバー116は移動し、固定フック119は押しバー116の移動によってスライド溝118の中から第二スライド位置1182に到着する。図４(a)は、押しバー116上の押し板117の高さは押しバー116が押されるに従って下降し、また押し板117は金属板113に当接している。また当接する金属板113も第一スプリング112を押し、第一スプリング112も壓縮状態のとき、金属板113の中で押し板117は一端の離れた複数のギアー104を当接していない。そこで、ユーザーがロール102を動かす時、金属板113はローラー103上の複数のギアー104と接触し、段落感を産まない。
【００１７】
本発明の提供するマウス装置はユーザーのさまざまな好みにより段落感の有無を調整でき、かつその内部構造と作動原理は上述のとおりである。本発明のマウス装置は金属板が複数のギアーと接触するか否かによって段落感の效果をコントロールし、ユーザーに広い選択を提供し、かつ十分コスト効果に合致する。
【００１８】
以上に述べたのは本創作の比較的好ましい実施例に過ぎず、かつ本発明の申請特許範囲を限定せず、そのためその他の本発明の掲示する精神を離脱しない範囲で完成できる同等の変化や修飾は、どれも本案の申請特許範囲内に含まれる。
【図面の簡単な説明】
【００１９】
本考案は下記の図式と説明により、更に深く理解することができる。
【図１】ａは本発明のマウス装置内部構造の概略図であり、ｂは本発明のマウス装置の部分構造の分解概略図である。
【図２】本発明のマウス装置の構造概略図である。
【図３】ａは本発明のマウス装置が段落感を有する時の内部構造概略図であり、ｂはその内部構造拡大概略図である。
【図４】ａは本発明マウス装置が段落感を有しない時の内部構造概略図であり、ｂはその内部構造拡大概略図である。
【符号の説明】
【００２０】
１００  マウス装置
１０１  マウス本体
１０２  ロール
１０３  ローラー
１０４  ギアー
１０５  エンコーダー
１１０  切り換え装置
１１１  金属板座
１１２、１１５  スプリング
１１３  金属板
１１４  凹溝
１１６  押しバー
１１７  押し板
１１８  スライド溝
１１８１、１１８２  スライド位置
１１９  固定フック
１２０  押し蓋
【図１】
2008171375.tif 000003
【図２】
2008171375.tif 000004
【図３】
2008171375.tif 000005
【図４】
2008171375.tif 000006